(57)【要約】通信端末装置は、ＴＦＣ（Ｔｒａｎｓｐｏｒｔ  Ｆｏｒｍａｔ  Ｃｏｍｂｉｎａｔｉｏｎ）選択を行うことにより選択されたＴＦＣに基づいて複数のチャネルの信号を多重して送信する。通信端末装置は、複数のチャネル信号に対してそれぞれ重み付けを行うためのゲインファクタの組み合わせとして、これらゲインファクタがそれぞれ属する区分の組み合わせを複数格納するとともに、これら複数の区分の組み合わせにそれぞれ関連付けて複数のチャネル信号を多重して送信する際の最大送信電力の低減量を格納する記憶部と、ＴＦＣ選択の際、各ＴＦＣにおけるゲインファクタの組み合わせに対応する区分の組み合わせに関連付けられた低減量を記憶部から読み出してＴＦＣ選択を行うＴＦＣ選択部を含む。
2008102829.tif 000002
【特許請求の範囲】
【請求項１】
ＴＦＣ（Ｔｒａｎｓｐｏｒｔ  Ｆｏｒｍａｔ  Ｃｏｍｂｉｎａｔｉｏｎ）選択を行うことにより選択されたＴＦＣに基づいて複数のチャネルの信号を多重して送信する通信端末装置であって、
前記複数のチャネル信号に対してそれぞれ重み付けを行うためのゲインファクタの組み合わせとして、当該ゲインファクタがそれぞれ属する区分の組み合わせを複数格納するとともに、前記複数の区分の組み合わせにそれぞれ関連付けて前記複数のチャネル信号を多重して送信する際の最大送信電力の低減量を格納する記憶手段と、
前記ＴＦＣ選択の際、各ＴＦＣにおけるゲインファクタの組み合わせに対応する前記区分の組み合わせに関連付けられた前記低減量を前記記憶手段から読み出して前記ＴＦＣ選択を行うＴＦＣ選択手段を含むことを特徴とする通信端末装置。
【請求項２】
前記区分の各々には複数のゲインファクタが含まれることを特徴とする請求項１の通信端末装置。
【請求項３】
前記記憶手段に格納された前記低減量は、対応する前記組み合わせを構成する前記区分の各々から選択された任意の一つの値を基に求められた値であることを特徴とする請求項２記載の通信端末装置。
【請求項４】
前記ＴＦＣ選択手段は、前記最大送信電力と前記低減量との差である最大許容送信電力と各ＴＦＣの総送信電力とを比較することにより前記ＴＦＣ選択を行うことを特徴とする請求項１，２または３記載の通信端末装置。
【請求項５】
ＴＦＣ（Ｔｒａｎｓｐｏｒｔ  Ｆｏｒｍａｔ  Ｃｏｍｂｉｎａｔｉｏｎ）選択を行うことにより選択されたＴＦＣに基づいて複数のチャネルの信号を多重して送信する通信端末装置のＴＦＣ選択方法であって、
前記ＴＦＣ選択の際、前記複数のチャネル信号に対してそれぞれ重み付けを行うためのゲインファクタの組み合わせとして、当該ゲインファクタがそれぞれ属する区分の組み合わせを複数格納するとともに前記複数の区分の組み合わせにそれぞれ関連付けて前記複数のチャネル信号を多重して送信する際の最大送信電力の低減量を格納する記憶手段から、各ＴＦＣにおけるゲインファクタの組み合わせに対応する前記区分の組み合わせに関連付けられた前記低減量を読み出すステップを含むことを特徴とするＴＦＣ選択方法。
【請求項６】
前記区分の各々には複数のゲインファクタが含まれることを特徴とする請求項５のＴＦＣ選択方法。
【請求項７】
前記記憶手段に格納された前記低減量は、対応する前記組み合わせを構成する前記区分の各々から選択された任意の一つの値を基に求められた値であることを特徴とする請求項６記載のＴＦＣ選択方法。
【請求項８】
前記最大送信電力と前記低減量との差である最大許容送信電力と各ＴＦＣの総送信電力とを比較することにより前記ＴＦＣ選択を行うステップを更に含むことを特徴とする請求項５，６または７記載のＴＦＣ選択方法。
【請求項９】
ＴＦＣ（Ｔｒａｎｓｐｏｒｔ  Ｆｏｒｍａｔ  Ｃｏｍｂｉｎａｔｉｏｎ）選択を行うことにより選択されたＴＦＣに基づいて複数のチャネルの信号を多重して送信する通信端末装置のＴＦＣ選択方法をコンピュータに実行させるためのプログラムであって、
前記ＴＦＣ選択の際、前記複数のチャネル信号に対してそれぞれ重み付けを行うためのゲインファクタの組み合わせとして、当該ゲインファクタがそれぞれ属する区分の組み合わせを複数格納するとともに前記複数の区分の組み合わせにそれぞれ関連付けて前記複数のチャネル信号を多重して送信する際の最大送信電力の低減量を格納する記憶手段から、各ＴＦＣにおけるゲインファクタの組み合わせに対応する前記区分の組み合わせに関連付けられた前記低減量を読み出す処理を含むことを特徴とするプログラム。
【発明の詳細な説明】
【技術分野】
【０００１】
本発明は通信端末装置、ＴＦＣ（Ｔｒａｎｓｐｏｒｔ  Ｆｏｒｍａｔ  Ｃｏｍｂｉｎａｔｉｏｎ）選択方法及びプログラムに関し、特にＴＦＣ選択を行うことにより選択されたＴＦＣに基づいて複数のチャネル信号を多重して送信する通信端末装置に関する。
【背景技術】
【０００２】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）規格を策定／提案している３ＧＰＰ（３ｒｄ  Ｇｅｎｅｒａｔｉｏｎ  Ｐａｒｔｎｅｒｓｈｉｐ  Ｐｒｏｊｅｃｔ）において、ＵＥ（Ｕｓｅｒ  Ｅｑｕｉｐｍｅｎｔ：ユーザ端末）から基地局への上りリンク用に、ＤＰＤＣＨ（Ｄｅｄｉｃａｔｅｄ  Ｐｈｙｓｉｃａｌ  Ｄａｔａ  Ｃｈａｎｎｅｌ）がデータ転送チャネルとして、ＤＰＣＣＨ（Ｄｅｄｉｃａｔｅｄ  Ｐｈｙｓｉｃａｌ  Ｃｏｎｔｒｏｌ  Ｃｈａｎｎｅｌ）が制御データチャネルとして定義されている（非特許文献１参照）。
さらに、上りリンクの高速データレート転送を実現する方法として、３ＧＰＰ  Ｒｅｌｅａｓｅ６にてＨＳＵＰＡ（Ｈｉｇｈ  Ｓｐｅｅｄ  Ｕｐｌｉｎｋ  Ｐａｃｋｅｔ  Ａｃｃｅｓｓ）が追加定義されている。図１に示すように、ＨＳＵＰＡでは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）がデータ転送チャネルとして、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）がＥ−ＤＰＤＣＨ用の制御データチャネルとして、関連するＷ−ＣＤＭＡの上りチャネルに追加で符号多重され高速データ通信を実現している（非特許文献１参照）。なお、図１は本発明の実施例によるＨＳＵＰＡ送信システムの構成を示す図であるが、Ｅ−ＴＦＣ選択制御部１０６以外は基本的に関連するシステム構成と同一である。
また、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）用のＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）がデータ再送情報などの転送用として、関連するＷ−ＣＤＭＡの上りチャネルに追加で符号多重されることが定義されている。
Ｗ−ＣＤＭＡの上りリンクにおいて、電波環境や許容最大送信電力に応じたＤＣＨ（Ｄｅｄｉｃａｔｅｄ  Ｃｈａｎｎｅｌ）の最適な送信レートを決定するＴＦＣ（Ｔｒａｎｓｐｏｒｔ  Ｆｏｒｍａｔ  Ｃｏｍｂｉｎａｔｉｏｎ）選択、Ｅ−ＤＣＨ（Ｅｎｈａｎｃｅｄ  Ｄｅｄｉｃａｔｅｄ  Ｃｈａｎｎｅｌ）の最適な送信レートを決定するＥ−ＴＦＣ（Ｅｎｈａｎｃｅｄ  Ｔｒａｎｓｐｏｒｔ  Ｆｏｒｍａｔ  Ｃｏｍｂｉｎａｔｉｏｎ）選択という機能がある（非特許文献２参照）。
上述のように符号多重される送信チャネルが多くなると、送信信号のピーク電力と平均電力の比であるＰＡＲ（Ｐｅａｋ  ｔｏ  Ａｖｅｒａｇｅ  ｐｏｗｅｒ  Ｒａｔｉｏ）が増加し、ＰＡ（Ｐｏｗｅｒ  Ａｍｐｌｉｆｉｅｒ）に歪が生じ、ＡＣＬＲ（Ａｄｊａｃｅｎｔ  Ｃｈａｎｎｅｌ  Ｌｅａｋａｇｅ  ｐｏｗｅｒ  Ｒａｔｉｏ）が劣化することになる。
これを補正するために、最大送信電力を補正して許容最大送信電力を得るための補正値（最大送信電力の低減量）を計算する必要がある。この補正値として、ＰＡＲに応じたＭＰＲ（Ｍａｘ  Ｐｏｗｅｒ  Ｒｅｄｕｃｔｉｏｎ）が規定されている（非特許文献３参照）。
３ＧＰＰ  Ｒｅｌｅａｓｅ５  ＨＳＤＰＡまでのＵＥの上りチャネルでは、多重されるチャネル数がまだ少なく、ＤＰＤＣＨの振幅値（βｄ）に応じて固定的に最大送信電力を低減させる仕様が３ＧＰＰで定義されている。その最大送信電力の低減量は、βｄの組み合わせに応じて３通りの固定値がルックアップテーブルに格納されて使用される（非特許文献４参照）。ＴＦＣ選択においても同様にこのβｄによる３通りの低減量を反映させて、最適なＴＦＣを選択していた。
一方、３ＧＰＰ  Ｒｅｌｅａｓｅ６  ＨＳＵＰＡでは、さらに符号多重されるチャネル数が増え、多重可能なβ組み合わせの数が爆発的に増え、低減量を決定するためにルックアップテーブルを用いた場合、単純な場合分けが困難となった。そこで、Ｒｅｌｅａｓｅ５のように事前にβ組み合わせからＭＰＲを参照するのではなく、決定されたβ組み合わせに対して拡散・フィルタリング処理されたＦＩＲ（Ｆｉｎｉｔｅ  Ｉｍｐｕｌｓｅ  Ｒｅｓｐｏｎｓｅ）フィルタ１０３以降の送信波形をサンプリングしたＣＭ（Ｃｕｂｉｃ  Ｍｅｔｒｉｃ）を計算しＭＰＲを算出することが規定されている（非特許文献５参照）。しかしながら、この処理は負荷が大きく、送信直前に行うには回路規模を複雑かつ増大させる。
【非特許文献１】３ＧＰＰ  Ｒｅｌｅａｓｅ６  ＴＳ２５．２１１（ｖ６．７．０）５．２
【非特許文献２】３ＧＰＰ  Ｒｅｌｅａｓｅ６  ＴＳ２５．１３３（ｖ６．ｄ．０）６．４
【非特許文献３】３ＧＰＰ  Ｒｅｌｅａｓｅ６  ＴＳ２５．１３３（ｖ６．ｄ．０）６．５
【非特許文献４】３ＧＰＰ  Ｒｅｌｅａｓｅ５  ＴＳ２５．１０１（ｖ５．ｄ．０）６．２．２
【非特許文献５】３ＧＰＰ  Ｒｅｌｅａｓｅ６  ＴＳ２５．１０１（ｖ６．ｂ．０）６．２．２
【非特許文献６】３ＧＰＰ  Ｒｅｌｅａｓｅ６  ＴＳ２５．２１４（ｖ６．９．０）５．１．２．６
【発明の開示】
【０００３】
Ｅ−ＴＦＣ選択により選択されたＥ−ＴＦＣにより確定したＥ−ＤＰＤＣＨの振幅βｅｄによって、ＣＭが計算されＭＰＲが算出される。
ここで、実際のＭＰＲよりも小さい値をＥ−ＴＦＣ選択の際の一時的な補正値であるＥ−ＴＦＣ−ＭＰＲとして用いてＥ−ＴＦＣ選択を行うと、最適な送信レートを決定するためにＥ−ＴＦＣ選択を行っても、ＣＭから求められた実際のＭＰＲの値によっては最終段でＥ−ＤＰＤＣＨパワーが選択的に削られてしまう（非特許文献６参照）。
また、反対に、実際のＭＰＲよりも大きい値をＥ−ＴＦＣ−ＭＰＲとして用いてＥ−ＴＦＣ選択を行うと、最適な送信レートを決定するためにＥ−ＴＦＣ選択を行っても、最大送信電力未満として送信レートを決定してしまい、理想スループットよりも低下してしまう。
何らかの方法でＥ−ＴＦＣ選択の時点で、ＣＭに近似できるＥ−ＴＦＣ−ＭＰＲを反映させることで、より最適なＥ−ＴＦＣ選択を行ない最適なスループットを出すことができる。
本発明の目的は、最適なＴＦＣ選択を行うことができる通信端末装置、ＴＦＣ選択方法及びプログラムを提供することである。
本発明の一態様による通信端末装置は、ＴＦＣ（Ｔｒａｎｓｐｏｒｔ  Ｆｏｒｍａｔ  Ｃｏｍｂｉｎａｔｉｏｎ）選択を行うことにより選択されたＴＦＣに基づいて複数のチャネルの信号を多重して送信する通信端末装置であって、前記複数のチャネル信号に対してそれぞれ重み付けを行うためのゲインファクタの組み合わせとして、当該ゲインファクタがそれぞれ属する区分の組み合わせを複数格納するとともに、前記複数の区分の組み合わせにそれぞれ関連付けて前記複数のチャネル信号を多重して送信する際の最大送信電力の低減量を格納する記憶部と、前記ＴＦＣ選択の際、各ＴＦＣにおけるゲインファクタの組み合わせに対応する前記区分の組み合わせに関連付けられた前記低減量を前記記憶部から読み出して前記ＴＦＣ選択を行うＴＦＣ選択部を含むことを特徴とする。
また、本発明の他の態様によるＴＦＣ選択方法は、ＴＦＣ（Ｔｒａｎｓｐｏｒｔ  Ｆｏｒｍａｔ  Ｃｏｍｂｉｎａｔｉｏｎ）選択を行うことにより選択されたＴＦＣに基づいて複数のチャネルの信号を多重して送信する通信端末装置のＴＦＣ選択方法であって、前記ＴＦＣ選択の際、前記複数のチャネル信号に対してそれぞれ重み付けを行うためのゲインファクタの組み合わせとして、当該ゲインファクタがそれぞれ属する区分の組み合わせを複数格納するとともに前記複数の区分の組み合わせにそれぞれ関連付けて前記複数のチャネル信号を多重して送信する際の最大送信電力の低減量を格納する記憶部から、各ＴＦＣにおけるゲインファクタの組み合わせに対応する前記区分の組み合わせに関連付けられた前記低減量を読み出すステップを含むことを特徴とする。
また、本発明のさらに他の態様によるプログラムは、ＴＦＣ（Ｔｒａｎｓｐｏｒｔ  Ｆｏｒｍａｔ  Ｃｏｍｂｉｎａｔｉｏｎ）選択を行うことにより選択されたＴＦＣに基づいて複数のチャネルの信号を多重して送信する通信端末装置のＴＦＣ選択方法をコンピュータに実行させるためのプログラムであって、前記ＴＦＣ選択の際、前記複数のチャネル信号に対してそれぞれ重み付けを行うためのゲインファクタの組み合わせとして、当該ゲインファクタがそれぞれ属する区分の組み合わせを複数格納するとともに前記複数の区分の組み合わせにそれぞれ関連付けて前記複数のチャネル信号を多重して送信する際の最大送信電力の低減量を格納する記憶部から、各ＴＦＣにおけるゲインファクタの組み合わせに対応する前記区分の組み合わせに関連付けられた前記低減量を読み出す処理を含むことを特徴とする。
このように、本発明では、ゲインファクタ各々の値を複数の区分に分類し、ゲインファクタの組み合わせを区分の組み合わせとして記憶部に格納するとともに、各区分の組み合わせに関連付けて最大送信電力の低減量を記憶部に予め格納しておく。そして、ＴＦＣ選択の際、判定対象のＴＦＣにおけるゲインファクタの組み合わせに対応する区分の組み合わせに関連付けられた低減量を記憶部から読み出してＴＦＣ選択を行う。これにより、最適なＴＦＣ選択を行うことができる。
【図面の簡単な説明】
【０００４】
図１は、本発明の実施例によるＨＳＵＰＡ送信システムの構成を示す図であり、
図２は、図１の拡散部の構成を示す図であり、
図３は、図１のＥ−ＴＦＣ選択制御部の構成を示す図であり、
図４は、βｃとβｄの量子化表を示す図であり、
図５は、βｈｓ／βｃの量子化表を示す図であり、
図６は、βｅｃ／βｃの量子化表を示す図であり、
図７は、βｅｄ／βｃの量子化表を示す図であり、
図８は、図４の量子化表をカテゴリー分けした図であり、
図９は、図５の量子化表をカテゴリー分けした図であり、
図１０は、図６の量子化表をカテゴリー分けした図であり、
図１１は、図７の量子化表をカテゴリー分けした図であり、
図１２は、図３のＭＰＲメモリの例を示す図であり、
図１３は、本発明の実施例によるＨＳＵＰＡ送信システムの動作を示すフローチャートであり、
図１４は、図１のＥ−ＴＦＣ比較回路における判定動作について説明するための図であり、
図１５は、図１のＥ−ＴＦＣ比較回路における判定動作について説明するための図である。
【発明を実施するための最良の形態】
【０００５】
以下、本発明の実施例について図面を参照して説明する。
図１は本発明の実施例によるＨＳＵＰＡ送信システムの構成を示す図である。図１に示すように、本発明の実施例によるＨＳＵＰＡ送信システムは、拡散部１０１と、ＴＸＡＧＣ（送信Ａｕｔｏ  Ｇａｉｎ  Ｃｏｎｔｒｏｌ）制御部１０２と、ＦＩＲフィルタ１０３と、ＤＡＣ（デジタル／アナログ変換器）１０４と、送信ＲＦ（Ｒａｄｉｏ  Ｆｒｅｑｕｅｎｃｙ）部１０５と、Ｅ−ＴＦＣ選択制御部１０６とを有し、移動通信システムの移動局に適用される。
図２は図１の拡散部１０１の構成を示す図である。図１及び図２に示すように、本実施例では、ＤＰＣＣＨ，ＤＰＤＣＨ，ＨＳ−ＤＰＣＣＨ，Ｅ−ＤＰＣＣＨ及びＥ−ＤＰＤＣＨ１〜４の各チャネルの信号がコード多重されて送信される。Ｅ−ＤＰＤＣＨ３，Ｅ−ＤＰＤＣＨ１，Ｅ−ＤＰＣＣＨ，ＤＰＤＣＨ，Ｅ−ＤＰＤＣＨ４，Ｅ−ＤＰＤＣＨ２，ＨＳ−ＤＰＣＣＨ及びＤＰＣＣＨの信号はそれぞれ、演算器２０１−１〜２０１−８によりチャネライゼーションコードＣによる拡散処理が行われた後、演算器２０２−１〜２０２−８によって、ゲインファクタ（ゲインパラメータ）βｅｄ３，βｅｄ１，βｅｃ，βｄ，βｅｄ４，βｅｄ２，βｈｓ及びβｃによる重み付けが行われる。
ゲインファクタβそれぞれの値はβｃを基準として３ＧＰＰ似て定義されており（３ＧＰＰ  Ｒｅｌｅａｓｅ６  ＴＳ２５．２１３（ｖ６．５．０）４．２）、図４〜７に示されている。なお、図４はβｃとβｄの量子化表を示す図であり、図５はβｈｓ／βｃの量子化表を示す図であり、図６はβｅｃ／βｃの量子化表を示す図であり、図７はβｅｄ／βｃの量子化表を示す図である。
加算器２０３ａは演算器２０２−１〜２０２−４の出力を加算し、その加算信号をＩブランチとして出力する。加算器２０３ｂは演算器２０２−５〜２０２−８の出力を加算し、その加算信号をＱブランチとして出力する。演算器２０４は、加算器２０３ｂの出力信号に対して虚数ｊを乗算する。演算器２０５は、加算器２０３ａの出力信号と演算器２０４の出力信号を複素加算する。演算器２０５の出力は、演算器２０６にてスクランブリングコードＳｃｒにより再び拡散処理される。
ＦＩＲフィルタ１０３は、帯域制限のためのルートレイズトコサインフィルタである。ＤＡＣ１０４は、ＦＩＲフィルタ１０３からのデジタル信号をアナログ信号に変換する。送信ＲＦ部１０５は、ＤＡＣ１０４からの送信アナログ信号を周波数アップコンバートし、ＰＡ（Ｐｏｗｅｒ  Ａｍｐｌｉｆｉｅｒ）により電力増幅しアンテナを介して無線送信を行う。なお、送信ＲＦ部１０５は、ＴＸＡＧＣ制御部１０２からＴＸＡＧＣ信号を受けてゲイン調節を行う機能を持つ。
図３は図１のＥ−ＴＦＣ選択制御部１０６の構成を示す図である。図３において、Ｅ−ＴＦＣ選択制御部１０６は、β条件判定部３０１と、ＭＰＲメモリ３０２と、最大電力演算部３０３と、Ｔｏｔａｌ  Ｐｏｗｅｒ算出部３０４と、Ｅ−ＴＦＣ比較回路３０５とを有している。ここで、ＭＰＲメモリ３０２が記憶手段又は記憶部として機能する。また、Ｅ−ＴＦＣ比較回路３０５が、最大電力演算部３０３及びＴｏｔａｌ  Ｐｏｗｅｒ算出部３０４とともにＴＦＣ選択手段又はＴＦＣ選択部として機能する。
ＣＭ（Ｃｕｂｉｃ  Ｍｅｔｒｉｃ）に近似できるＥ−ＴＦＣ−ＭＰＲを事前算出するための方法として、事前に各β組み合わせから拡散・フィルタリング後の送信波形をサンプリングしたＣＭをシミュレーションにより算出し、その結果をＥ−ＴＦＣ−ＭＰＲとしてＭＰＲメモリ３０２に格納しておく。
図４〜７に示すようにβの組み合わせが存在する。さらにＥ−ＤＰＤＣＨの複数コード多重やＣｏｍｐｒｅｓｓｅｄ  Ｍｏｄｅによるパラメータも考慮すると可能なβ組み合わせの数は膨大になり、全てをメモリ３０２に保持しておくことは現実的ではない。
そこで、本発明の実施例では、図８〜１１に示すように、β各々の値が複数のカテゴリー（区分）に分割される。この分割は、各カテゴリーに複数のβが含まれるように行われる。なお、図８〜１１は図４〜７にそれぞれ対応している。そして、図１２にＭＰＲメモリ３０２の例を示すように、βの組み合わせとして各βが属するカテゴリーの組み合わせが複数ＭＰＲメモリ３０２に予め格納される。また、各カテゴリーの組み合わせに関連付けてＥ−ＴＦＣ−ＭＰＲ値がＭＰＲメモリ３０２に予め格納される。
図１２において、例えばインデックス０は、βｄのカテゴリー０、βｈｓのカテゴリー０、βｅｃのカテゴリー０、βｅｄのカテゴリー０の組み合わせと、それに対応するＥ−ＴＦＣ−ＭＰＲ値を表す。インデックス３５は、βｄのカテゴリー０、βｈｓのカテゴリー１、βｅｃのカテゴリー２、βｅｄのカテゴリー５の組み合わせと、それに対応するＥ−ＴＦＣ−ＭＰＲ値を表す。このように、βの組み合わせをそれぞれのカテゴリーの組み合わせとしてＥ−ＴＦＣ−ＭＰＲ値と関連付けて保持しておくようにすることにより、Ｅ−ＴＦＣ−ＭＰＲの精度とメモリサイズのトレードオフを考慮して最適なメモリサイズとすることができる。
なお、各Ｅ−ＴＦＣ−ＭＰＲ値は、対応する組み合わせを構成するカテゴリーの各々から選択された任意の一つの値を基に求められた値である。例えばインデックス０では、βｄのカテゴリー０から任意の一つの値（例えば該カテゴリー中央または中央付近の値）が代表値として選択される。βｈｓ，βｅｃ，βｅｄについてもそれぞれカテゴリー０から任意の一つの値が代表値として選択される。そして選択された代表値のβ組み合わせから拡散・フィルタリング後の送信波形をサンプリングしたＣＭがシミュレーションにより算出される。算出された結果がインデックス０のＥ−ＴＦＣ−ＭＰＲとしてＭＰＲメモリ３０２に格納される。
図３に戻り、β条件判定部３０１は、判定対象のＥ−ＴＦＣにおけるβ各々のカテゴリーを判定し、これにより判別されたβそれぞれのカテゴリーの組み合わせに対応するＥ−ＴＦＣ−ＭＰＲがＭＰＲメモリ３０２より読み出される。最大電力演算部３０３は、最大送信電力から該Ｅ−ＴＦＣ−ＭＰＲを引いたものを許容最大送信電力として算出する。なお、最大送信電力はＰｏｗｅｒ  Ｃｌａｓｓにより決定される（３ＧＰＰ  Ｒｅｌｅａｓｅ６  ＴＳ２５．１０１（ｖ６．ｂ．０）６．２．１）。
Ｔｏｔａｌ  Ｐｏｗｅｒ算出部３０４は、式（１）を計算してパワーオフセットを算出する。
2008102829.tif 000003
また、Ｔｏｔａｌ  Ｐｏｗｅｒ算出部３０４は、基準となるＤＰＣＣＨパワーを求め、判定対象のＥ−ＴＦＣの総送信電力＝（パワーオフセット＋ＤＰＣＣＨパワー）を算出する。
Ｅ−ＴＦＣ比較回路３０５は、最大電力演算部３０３により算出された許容最大送信電力とＴｏｔａｌ  Ｐｏｗｅｒ算出部３０４により算出された総送信電力との比較を行うことにより、判定対象のＥ−ＴＦＣがサポートされるかブロックされるか、すなわち送信可能であるか送信不可であるか判定する。
次に、本発明の実施例によるＨＳＵＰＡ送信システムの動作について図面を参照して説明する。図１３は図１のＨＳＵＰＡ送信システムの動作を示すフローチャートであり、図１４及び図１５は図１のＥ−ＴＦＣ比較回路３０５における判定動作について説明するための図である。
図１３において、Ｅ−ＴＦＣ選択を行うにあたり、まず、上位レイヤによりβｃ，βｄ，βｈｓ，βｅｃが決定される（ステップＳ１）。次に、ｉ＝０に設定される（ステップＳ２）。ステップＳ３において、全てのＥ−ＴＦＣの集合であるＥ−ＴＦＣＳ（Ｅｎｈａｎｃｅｄ  Ｔｒａｎｓｐｏｒｔ  Ｆｏｒｍａｔ  Ｃｏｍｂｉｎａｔｉｏｎ  Ｓｅｔ）中のＥ−ＴＦＣ，ｉにおけるＥ−ＤＰＤＣＨの本数とそのβｅｄの値が求められる（３ＧＰＰ  Ｒｅｌｅａｓｅ６  ＴＳ２５．２１２  ４．８．４．１，  ３ＧＰＰ  Ｒｅｌｅａｓｅ６  ＴＳ２５．２１４  ５．１．２．５Ｂ）。
β条件判定部３０１は、図８〜１１の例にあるように、ステップＳ１及びＳ２にて確定されたβｄ／βｃ，βｈｓ／βｃ，βｅｃ／βｃ，βｅｄ１／βｃ，βｅｄ２／βｃ，βｅｄ３／βｃ，βｅｄ４／βｃそれぞれのカテゴリーを判別する（ステップＳ４）。また、β条件判定部３０１は、判別されたβそれぞれのカテゴリーから対応するＭＰＲメモリ３０２のインデックスを求め（ステップＳ５）、ＭＰＲメモリ３０２から該インデックスに対応するＥ−ＴＦＣ−ＭＰＲを取り出す（ステップＳ６）。最大電力演算部３０３は、最大送信電力と該Ｅ−ＴＦＣ−ＭＰＲとの差である許容最大送信電力を算出する（ステップＳ７）。
また、Ｔｏｔａｌ  Ｐｏｗｅｒ算出部３０４は、式（１）を計算してパワーオフセットを算出すると共に（ステップＳ８）、間近の電波環境を平均化したＤＰＣＣＨパワーを求め（ステップＳ９）、Ｅ−ＴＦＣ，ｉの総送信電力＝（パワーオフセット＋ＤＰＣＣＨパワー）を算出する（ステップＳ１０）。
Ｅ−ＴＦＣ比較回路３０５は、Ｅ−ＴＦＣ，ｉの総送信電力が許容最大送信電力を超えているか否かを判定する（ステップＳ１１）。図１４及び図１５に示すように、Ｅ−ＴＦＣ，ｉ（図１４及び図１５の例ではＥ−ＴＦＣ１６）の送信電力が許容最大送信電力を超えているならば、Ｅ−ＴＦＣ比較回路３０５は、Ｅ−ＴＦＣ，ｉをＢｌｏｃｋ  Ｓｔａｔｅとして、すなわち送信不可と判定して、Ｅ−ＴＦＣ，ｉ−１を送信可能最大レートとする（ステップＳ１２）。
一方、図１４及び１５に示すように、Ｅ−ＴＦＣ，ｉ（図１４及び１５の例ではＥ−ＴＦＣ１〜１５の各々）の総送信電力が許容最大送信電力を超えていないならば、Ｅ−ＴＦＣ比較回路３０５は、Ｅ−ＴＦＣ，ｉをＳｕｐｐｏｒｔ  Ｓｔａｔｅとし、すなわち送信可能と判定し、次のＥ−ＴＦＣの判定に移るべくｉ＝ｉ＋１に設定され（ステップＳ１３）、ステップＳ３〜Ｓ１１の処理が繰り返される。
以上説明した図１３のフローに従った処理により送信可能なＥ−ＴＦＣの候補（図１４及び１５の例ではＥ−ＴＦＣ１〜１５）が絞られ、これら候補がＭＡＣレイヤに報告されることにより、これら候補の中からＭＡＣ処理にて最適な１つのＥ−ＴＦＣが決定され、これに相当するβｅｄが拡散部１０１に出力されることになる。なお、この処理は本発明とは直接関係しないので、その詳細な説明は省略する。
以上説明したように、本発明の実施例では、β各々の値を複数のカテゴリーに分割し、βの組み合わせとして、各βが属するカテゴリーの組み合わせを用いる。そして、複数のカテゴリーの組み合わせ各々にＥ−ＴＦＣ−ＭＰＲ値を関連付けてＭＰＲメモリ３０２に予め格納する。これにより、ＰＡＲに応じた実際のＭＰＲに近いＥ−ＴＦＣ−ＭＰＲをＥ−ＴＦＣ選択に効果的に反映させることができ、適切な最大送信レートを決定することができる。
したがって、最大可能送信レート以上の送信レートが選択されてＥ−ＤＰＤＣＨパワーが選択的に削られて、結果的にＣＲＣＮＧとなることを抑制することができる。また、最大可能送信レート以下の送信レートが選択されて、実行スループットを無駄に低下させてしまうことを抑制することができる。
なお、図１３に示したフローチャートに従ったＵＥの処理動作は、ＵＥにおいて、予めＲＯＭ等の記憶媒体に格納されたプログラムを、ＣＰＵ（制御部）となるコンピュータに読み取らせて実行せしめることにより、実現できることは勿論である。
また、本実施例はＥ−ＴＦＣ選択を例にとり説明されたが、Ｅ−ＴＦＣ選択に限定されるものではなく、ＣＤＭＡ送信機全般に関して、ＰＡＲによる最大送信電力低減量を考慮したＴＦＣ選択に適用可能である。例えば、ＤＣＨの最適な送信レートを決定するＴＦＣ選択にも本発明を適用可能である。
この場合、各βが属するカテゴリーの複数の組み合わせにそれぞれＭＰＲ値を対応付けてメモリに予め保持させることにより、容易にかつ高い精度でＴＦＣ選択を行うことが可能になる。これに対し、関連する方法の一つは上述したように、ＭＰＲが３通りの値から選択されるだけのものであり、精度が低い。また、上述したように、ＦＩＲフィルタ１０３以降の送信波形をサンプリングしたＣＭを計算しＭＰＲを算出することが関連する方法の他の一つとして規定されているが、この処理は負荷が大きく、送信直前に行うには回路規模を複雑かつ増大させるものである。
この出願は、２００７年２月２１日に出願された日本出願特願２００７−０４０１３５号を基礎とする優先権を主張し、その開示の全てをここに取り込む。
【図１】
2008102829.tif 000004
【図２】
2008102829.tif 000005
【図３】
2008102829.tif 000006
【図４】
2008102829.tif 000007
【図５】
2008102829.tif 000008
【図６】
2008102829.tif 000009
【図７】
2008102829.tif 000010
【図８】
2008102829.tif 000011
【図９】
2008102829.tif 000012
【図１０】
2008102829.tif 000013
【図１１】
2008102829.tif 000014
【図１２】
2008102829.tif 000015
【図１３】
2008102829.tif 000016
【図１４】
2008102829.tif 000017
【図１５】
2008102829.tif 000018
【国際調査報告】
2008102829.tif 000019
2008102829.tif 000020